(57)【特許請求の範囲】
【請求項１】
折りたたんだ一枚の台紙から成るカード容器であって、
その間にカードを収納することができ、
表側台紙の端部には開封開始用の切欠きが設けてあり、切欠きから幅方向全域に延びる直線状のミシン目を有し、
折りたたみ側の台紙には、折りたたんだ際に表側台紙の切欠きに位置を同じくする切欠きが設けてあり、切欠きから幅方向に、表側台紙のミシン目に重なるように伸びる直線状ミシン目に連続して、表側台紙のミシン目からそれて斜め下方に延び、切欠きのある辺の対辺に達しているミシン目を有し、
折りたたんだ台紙の、幅方向全域に延びる直線状のミシン目より上部、および台紙の間に収納されたカードの周囲は、表側台紙と折りたたみ側台紙とが互いに接着されていることを特徴とするカード容器。
【請求項２】
表側台紙には、カード収納のための凹部を設けてあることを特徴とする請求項１に記載のカード容器。
【請求項３】
幅方向全域に延びる直線状のミシン目より上部に、吊り下げ用の穴を有することを特徴とする請求項１または請求項２に記載のカード容器。
【発明の詳細な説明】
【技術分野】
【０００１】
本発明はカード容器に関するものである。とくに商品としてのカードまたはカード状の商品を収納して陳列、販売し消費者が購入して後、あるいはカードが消費者の手元に届いて後、カードを容器から取り出す際には容易に取り出すことのできるカード容器に関するものである。
【背景技術】
【０００２】
現代社会は様々な分野で、様々な目的、機能を有したカード、あるいは商品としてのカードが普及しており、使用されている。ＩＤカードやクレジットカードやプリペイドカード、会員カードやポイントカードなど、日常生活にカードは不可欠なものとなっている。とくに最近では、電子マネーといった商品も普及しており、コンビニエンスストアなどに陳列棚が設けられている。
【０００３】
カードは多くの場合、たとえばプリペイドカードや電子マネーのように金銭と同様の価値を有するものもあり、取り扱いには課題も多い。また万一流通過程や消費者の手元に届く前に開封されて情報を盗まれたり、さらには改竄されたりすることのリスクをどう回避するかが、課題として検討されているところでもあり、容器としてどのような対策を講じるかが、商品化において重要な課題となっている。
【０００４】
かといって容器を厳重にしすぎた場合には、容器の開封に刃物などを用いて切り裂いて開口部を作ることも可能ではあるが、怪我などの危険が伴う上、内容物のカードの損傷を与える危険もあって、消費者に不便を強いるものであるのに加えて、コスト面でもかけられる費用には限界があるのが実情である。
【０００５】
また、たとえば特許文献にはカード台紙を二つ折りにして、台紙に一体化したカードを保護する容器は提案されているが、カードの取り出しにおいては、取り出しやすさは充分とはいえなかった。
【先行技術文献】
【特許文献】
【０００６】
【特許文献１】特開２０１４−２２６７９８号公報
【発明の概要】
【発明が解決しようとする課題】
【０００７】
本発明はかかる状況に鑑みてなされたものであり、カードを台紙を折りたたんだ容器で挟んで保護することができ、開封および取出しが容易なカード容器を提供することを課題とするものである。
【課題を解決するための手段】
【０００８】
上記の課題を解決するための手段として、請求項１に記載の発明は、折りたたんだ一枚の台紙から成るカード容器であって、その間にカードを収納することができ、表側台紙の端部には開封開始用の切欠きが設けてあり、切欠きから幅方向全域に延びる直線状のミシン目を有し、折りたたみ側の台紙には、折りたたんだ際に表側台紙の切欠きに位置を同じくする切欠きが設けてあり、切欠きから幅方向に、表側台紙のミシン目に重なるように伸びる直線状ミシン目に連続して、表側台紙のミシン目からそれて斜め下方に延び、切欠きのある辺の対辺に達しているミシン目を有し、折りたたんだ台紙の、幅方向全域に延びる直線状のミシン目より上部、および台紙の間に収納されたカードの周囲は、表側台紙と折りたたみ側台紙とが互いに接着されていることを特徴とするカード容器である。
【０００９】
また、請求項２に記載の発明は、表側台紙には、カード収納のための凹部を設けてあることを特徴とする請求項１に記載のカード容器である。
【００１０】
また、請求項３に記載の発明は、幅方向全域に延びる直線状のミシン目より上部に、吊り下げ用の穴を有することを特徴とする請求項１または請求項２に記載のカード容器である。
【発明の効果】
【００１２】
本発明によれば、カードを台紙を折りたたんだ容器で挟んで保護することができ、開封および取出しが容易なカード容器を提供することが可能である。
【００１３】
また請求項２に記載の発明によれば、カードを台紙を折りたたんだ容器で挟んで保護することがより容易にでき、開封および取出しが容易なカード容器を提供することが可能である。
【００１４】
また請求項３の記載の発明によれば、カードを台紙を折りたたんだ容器で挟んで保護することができ、開封および取出しが容易なカード容器をより販売、展示に適した形で提供することが可能である。
【００１５】
また請求項４に記載の発明によれば、カードを台紙を折りたたんだ容器で挟んで保護することができ、開封および取出しがさらに容易なカード容器を提供することが可能である。
【図面の簡単な説明】
【００１６】
【図１】図１は本発明に係るカード容器の一実施形態を説明するための平面模式図である。
【図２】図２は本発明に係るカード容器の他の実施形態を説明するための平面模式図である。
【発明を実施するための形態】
【００１７】
以下、本発明を実施するための形態について、図を参照しながら詳細な説明を加える。ただし、本発明はここに示した例にのみ限定されるものではない。
【００１８】
図１は本発明に係るカード容器の構成を説明するための平面模式図である。カード容器（１０）は、折りたたみ可能な一枚の台紙からなり、折りたたみ側台紙（８）を折りたたみ線（１１）で折りたたみ方向（９）へ折りたたんで表側台紙（７）に重ねてカード容器とする。
【００１９】
表側台紙の端部には開封開始用の切欠き（１）が設けてあり、切欠きから幅方向全域に延びる直線状のミシン目Ａ（２）を設けてある。折りたたみ側（８）の台紙には、折りたたんだ際に表側台紙（７）の切欠きに位置を同じくする切欠き（１）が設けてあり、切欠きから幅方向に、表側台紙のミシン目に重なるように伸びる直線状ミシン目Ｂ（３）に連続して、表側台紙のミシン目Ａ（２）からそれて斜め下方に延び、切欠きのある辺の対辺
に向かうミシン目Ｃ（４）を有する。
【００２０】
切欠き（１）は、折りたたみ線（１１）のない辺に設けることが好ましい。折りたたみ線（１１）のある辺に設ける場合には、窪（１）みが表側台紙および折りたたみ側台紙の両方にあるので、折りたたんだ後に別工程で加工するか、あるいは展開した状態のときに穴を開ける形で打ち抜いて加工するかのどちらかである。但し、穴を開ける場合には、穴のカスが出ることになりどちらにしても工程上好ましくない。
【００２１】
折りたたんだ台紙の、幅方向全域に延びる直線状のミシン目Ａ（２）より上部、および台紙の間のカード収納部（６）の周囲は、表側台紙と折りたたみ側台紙とが互いに接着されている。ミシン目Ａ（２）より上部が接着されていることによって、開封する際にこの部分が固定されているために、開封がより容易になる効果がある。
【００２２】
開封に際しては、カード容器端部に設けられた切欠きをきっかけとして、表裏それぞれのミシン目に沿ってカード容器を切り裂けばよい。すなわち表側台紙（７）側においてはミシン目Ａ（２）に沿って開口させる。これによって表側台紙の上部が取り去られた開口部を形成することができる。
【００２３】
折りたたみ側台紙（８）側においてはミシン目Ｂ（３）およびミシン目Ｃ（４）に沿って開口させる。これによって折りたたみ台紙側は、カード収納部（６）を横断する形で２つに分離した開口部を形成することができる。
【００２４】
ミシン目Ｃ（４）が切欠きのある辺の対辺まで到達している場合には、開封した台紙を１８０°開くことができる。取り出しに支障がない範囲で、ミシン目Ｃ（４）は切欠きのある辺の対辺まで到達していなくてもかまわない。
【００２５】
これらのミシン目による開封によって、刃物等を使うことなく、開封は容易に、かつ安全に、安定して行うことができ、大きく開口部を作り出すことができるので、取り出しも容易なものとなる。
【００２６】
またミシンによる開封の場合には、一旦開封すれば開封したことが一目瞭然であるため、セキュリティにおいて効果的である。
【００２７】
台紙の間のカード収納部（６）の周囲は、表側台紙と折りたたみ側台紙とが互いに接着されている。カードの周囲が接着されていることによって内容物のカードが容器内で固定される効果がある。
【００２８】
カード収納部（６）は、表側台紙に凹部を設けて、折りたたみ側台紙（８）との空隙にカードを収納することができる。凹部にかわって表側台紙に圧力をかけて、潰し加工によって、折りたたみ側台紙（８）との空隙を作るのでもよい。空隙を設けることによって、内容物であるカードを収納した場合でも台紙が膨らんだり、撓んだりすることを避けることができる。
【００２９】
折りたたんだ台紙の、幅方向全域に延びる直線状のミシン目Ａ（２）より上部の接着された部分には、吊り下げ穴（５）を設ける。吊り下げ穴は、表側台紙（７）と折りたたみ側台紙（８）のそれぞれに位置を合わせて設けておくのでもよく、折りたたんだ後に吊り下げ穴（５）を打ち抜くのでもかまわない。吊り下げ穴（５）を設けることによって、カード容器を吊り下げることが可能になり、販売、展示において好都合である。
【００３０】
図２は本発明に係るカード容器の他の実施形態を説明するための平面模式図である。カ
ード容器（１０）は、折りたたみ可能な一枚の台紙からなり、折りたたみ側台紙（８）を折りたたみ線（１１）で折りたたみ方向（９）へ折りたたんで表側台紙（７）に重ねてカード容器とする。ここに示した例では、表側台紙（７）と折りたたみ側台紙（８）は、カード容器の下部の折りたたみ線（１１）で連続している。この例の場合には、切欠きは折りたたみ線（１１）とは関係なく、カード容器の左右どちらの側に配置してもよい。
【００３１】
このように本発明によれば、カードを台紙を折りたたんだ容器で挟んで保護することができ、開封および取出しが容易なカード容器を提供することが可能である。
【符号の説明】
【００３２】
１・・・切欠き
２・・・ミシン目Ａ
３・・・ミシン目Ｂ
４・・・ミシン目Ｃ
５・・・吊り下げ穴
６・・・カード収納部
７・・・表側台紙
８・・・折りたたみ側台紙
９・・・折りたたみ方向
１０・・・カード容器
１１・・・折りたたみ線
【図１】
0006634736.tif 000002
【図２】
0006634736.tif 000003